(57)【要約】【課題】構造が単純で、使用時のずれ止め性能を向上できるとともに、床貫通丸孔に対する着脱も容易にでき、しかも、密集して配置する場合にも適する建築物の床貫通丸孔用蓋を提供する。【解決手段】建築設備用配管を配設するために建設中の建築物の床に形成された床貫通丸孔を覆う金属製の蓋１を、床貫通丸孔の開口径より大きく形成した平らな蓋板２と、床貫通丸孔に挿脱される少なくとも３個の脚５とから形成する。蓋板２は、五角形以上の多角形又は円形であり、中央部に指掛け孔３を有している。各脚５を蓋板２の裏面から突出させて蓋板２に固定するとともに、これらの脚５を、蓋板２の周方向に沿って等間隔又はこれに近似した間隔に配設したことを特徴としている。【選択図】図１
2007277943.tif 000002
【特許請求の範囲】
【請求項１】
建築設備用配管を配設するために建設中の建築物の床に形成された床貫通丸孔を覆う金属製の蓋であって、五角形以上の多角形又は円形で前記床貫通丸孔の開口径より大きく形成されるとともに中央部に指掛け孔が開口された平らな蓋板と、この蓋板の裏面から突出して前記蓋板に固定されるとともに前記蓋板の周方向に沿って等間隔又はこれに近似した間隔に配設された少なくとも３個の脚とからなることを特徴とする建築物の床貫通丸孔用蓋。
【請求項２】
前記脚が、前記蓋板の裏面に当接する脚主部と、この脚主部より小径で前記蓋板に開けられた脚取付け孔に挿入された首部と、前記蓋板の表面側からかしめられて前記脚主部との間に前記脚取付け孔の縁部を挟着したかしめ端部とからなることを特徴とする請求項１に記載の建築物の床貫通丸孔用蓋。
【発明の詳細な説明】
【技術分野】
【０００１】
本発明は、建築設備用配管を配設するために建設中の建築物の床に形成された床貫通丸孔を、人に対する安全と保護のために一時的に覆って使用される床貫通丸孔用蓋に関する。
【背景技術】
【０００２】
建設中の建築物の床には建築設備用配管が設置される床貫通丸孔が多数形成される。これらの床貫通丸孔には、最終的に、金属や合成樹脂等からなる建築設備用配管が設置され、設置された建築設備用配管内にはエアー、水、又は電気配線等が通される。建築設備用配管が設置される前の状態で床貫通丸孔が開放されたままであると、建築に従事する作業者が足を捕られることがあるとともに、建築部品や工具等が落ち込むことがある。
【０００３】
このような事態を防ぐために、一般的には、建築資材として多用される木材や鋼板から適当な大きさに切り出して塞ぎ板を建築現場で作成し、それを床貫通丸孔に単に被せて便宜的に対処している。しかし、この対策では、塞ぎ板が振動や外力等により容易にずれ動いてしまうので、人に対する安全と保護をする上での信頼性が著しく悪い。
【０００４】
従来、床貫通丸孔ではないが、作業者や資材を通すために建築中の床に形成される四角形の開口部に対する蓋が提供されている。この蓋は、四角形の上板部材の裏面にこの上板部材の各辺と平行な脚部材を突設しているとともに、上板部材の四隅部に対角線に沿って延びる取付け孔の夫々にボルトを滑動可能に挿通し、このボルトにナットを介してＬ字形の当接部材を取付け、取付け孔に対するボルトの摺動により当接部材の位置を開口部の大きさに合わせて調節し、この当接部材を床の開口部の角部内面に当接させるように構成されている。更に、この蓋には、搬送及び床の開口部への着脱作業等において使用される一対の把持部材（ハンドル）が、上板部材に設けた把持部材取付け孔から引き出し可能に取付けられていて、開口部を塞いだ使用状態では把持部材が上方に突出して邪魔にならないように構成されている（例えば、特許文献１参照。）。
【特許文献１】実公平７−６３８０号公報（第４欄第４３行〜第８欄第１８行、第１図〜第６図）
【発明の開示】
【発明が解決しようとする課題】
【０００５】
特許文献１の蓋は、非使用状態で安定的に載置するための脚部材と、使用状態で床の四角形の開口部に対する外れ止めをする四隅のボルトとを別々に要しているとともに、床面開口部の角部内面への当接部材を夫々のボルトに取付けており、更に、一対の把持部材（ハンドル）を備えている。そのために、部品点数が多く、構造が複雑であり、組立てに手間が掛かるという点で好ましくない。更に、特許文献１の蓋は、その四隅にボルトを調節位置に保持する補強部材以外にも、一対の把持部材が蓋表面に配置されているために、作業者の足等が引っ掛かる可能性のある部分が多いという点で好ましくない。その上、特許文献１の蓋は、ボルトの締め付けにより当接部材を調節位置に保持しているので、ボルトの締め付け不良を生じる可能性があるとともに、振動などでボルトとナットの締め付けが緩む恐れがあり、こうした場合、床の開口部に対する蓋のずれ止め性能が低下する恐れが考えられる。
【０００６】
ところで、建築中の建築物の床には、四角形の前記開口部の他にも、建築設備用配管を配設するための床貫通丸孔が多数形成される。これらの床貫通丸孔は、四角形の前記開口部よりも遥かに小さく、かつ、ある領域に密集するように設けられる場合が多い。これに対して、特許文献１の蓋は床に形成されいずれは埋め戻される四角形の開口部用として特化しているので、この蓋を、前記床貫通丸孔の大きさに合わせて小形化すると、それに伴い把持部材を設けるスペースを確保することが困難となり、把持部材を設けることができなくなる。したがって、小形化された特許文献１の蓋を前記床貫通丸孔から外すことが難しくなる。又、四角形の上板部材は占有面積が大きく、そのために、密集させて使用しようとする際、隣接する蓋同士が干渉して設置ができなくなる可能性が高い。こうした事情により特許文献１の蓋を床貫通丸孔用として転用することは実際的ではない。
【０００７】
本発明の目的は、構造が単純で、使用時のずれ止め性能を向上できるとともに、床貫通丸孔に対する着脱も容易にでき、しかも、密集して配置する場合にも適する建築物の床貫通丸孔用蓋を提供することにある。
【課題を解決するための手段】
【０００８】
本発明は、建築設備用配管を配設するために建設中の建築物の床に形成された床貫通丸孔を覆う金属製の蓋であって、五角形以上の多角形又は円形で前記床貫通丸孔の開口径より大きく形成されるとともに中央部に指掛け孔が開口された平らな蓋板と、この蓋板の裏面から突出して前記蓋板に固定されるとともに前記蓋板の周方向に沿って等間隔又はこれに近似した間隔に配設された少なくとも３個の脚とからなることを特徴としている。
【０００９】
本発明の床貫通丸孔用蓋では、その使用時に床貫通丸孔に挿入される３個以上の脚が、床貫通丸孔に対する蓋のずれ止めを兼ねるので、ずれ止めのための専用部品を省略できる。これとともに、蓋板中央部の指掛け孔に指を通して蓋を床貫通丸孔に着脱できるので、蓋の着脱や運搬のための専用の手掛け部品を省略できる。したがって、本発明の床貫通丸孔用蓋は、中央部の指掛け孔が開口された蓋板と、３個以上の脚とで形成できるので、部品点数が少ない。更に、蓋を床貫通丸孔に着脱するために蓋板の中央部に指掛け孔を設けたので、そこに指を通して蓋を床貫通丸孔に対して容易に着脱できる。しかも、蓋を床貫通丸孔に着脱するための構成である指掛け孔は蓋板の表面に突出しないから、人の足が引っ掛かって蓋をずらす外力を受ける可能性を減らすことができる。これに加えて、各脚は蓋板に固定されているので不用意に動くことがないだけではなく、蓋をずらす外力が加えられた場合、その力を３個以上の脚の内の少なくとも２個の脚で受けて、一個の脚にのみ外力が集中してその変形や折損を抑制できる。したがって、使用時のずれ止め性能を向上できる。又、蓋板が五角形以上の多角形又は円形であることに基づき、使用時に蓋板の周部が床貫通丸孔からこの丸孔の周囲に張り出す突出量が小さいので、床貫通丸孔用蓋を密集して配置する場合にも、相互の干渉を抑制できるので、この様な設置形態でも好適に使用できる。
【００１０】
又、本発明の好ましい形態では、前記脚が、前記蓋板の裏面に当接する脚主部と、この脚主部より小径で前記蓋板に開けられた脚取付け孔に挿入された首部と、前記蓋板の表面側からかしめられて前記脚主部との間に前記脚取付け孔の縁部を挟着したかしめ端部とからなることを特徴としている。
【００１１】
この発明では、脚が蓋板に対して緩むことなく確実に固定されるとともに、ずれ止めの際等に脚が外力によって変形することも確実に防止できるので、所期の性能が長期にわたり維持されて耐久性に優れたものとできる。
【発明の効果】
【００１２】
本発明によれば、構造が単純で、使用時のずれ止め性能を向上できるとともに、床貫通丸孔に対する着脱も容易にでき、しかも、密集して配置する場合にも適する建築物の床貫通丸孔用蓋を提供できる。
【発明を実施するための最良の形態】
【００１３】
以下、図面を参照して本発明の一実施形態を説明する。
【００１４】
図５は本実施形態の床貫通用丸孔用蓋（以下単に蓋と略称する。）１の使用状況を示している。この図中符号Ａは建設中の建築物の床を示しており、符号Ｂは床Ａに多数形成された床貫通丸孔（以下単に丸孔と略称する。）を示している。丸孔Ｂには、エアー、水、又は電気配線等を通すための金属製又は合成樹脂製の建築設備用配管（図示しない）が設置される。なお、丸孔Ｂの開口径は配管の種類などに応じて、例えば５０ｍｍ、７５ｍｍ、１００ｍｍ、１２５ｍｍ、１５０ｍｍ、１７５ｍｍ、２００ｍｍ、２５０ｍｍ、３００ｍｍと定められている。
【００１５】
蓋１は、各種の丸孔Ｂの夫々に個別に適合する大きさに作られるものであって、図１〜図４に示すように平らな蓋板２と、例えば３個の脚５とから形成されている。
【００１６】
蓋板２は、金属例えば鋼板製で、円形であり、かつ、中央部に円形の指掛け孔３が開口されている。指掛け孔３は、円形で、その径は例えば１７ｍｍである。蓋板２の外形形状は、五角形以上の多角形状であってもよいが、その場合でも角数がより多く円に近似する方が、より好ましい。蓋板２の外径（なお、多角形状の蓋板にあっては、その各角を通って描かれる仮想円の径）は、丸孔Ｂの開口径よりも大きく、例えば２５ｍｍ〜４０ｍｍ大きく作られている。
【００１７】
蓋板２の厚みは、蓋板２の大きさに関係なく（3.0〜3.4）ｍｍに設定されていて、好ましくは（3.2±1.0）ｍｍ、より好ましくは3.2ｍｍにするとよい。蓋板２を3.0ｍｍ未満の厚みとすることは、蓋板２の強度が低下し変形し易くなるので好ましくない。又、蓋板２を3.4ｍｍを越える厚みとすることは、外径が大きいほど重くなって丸孔Ｂに対する着脱が不便になるだけではなく、使用状態で蓋板２が床Ａの表面からより大きく突出して、床Ａ上を移動する人の足が蓋板２に引っ掛かり易くなるので好ましくない。
【００１８】
蓋板２はその周部の例えば３箇所に脚取付け孔４（図４に一箇所に示す）を有している。これらの脚取付け孔４は蓋板２の周方向に沿って等間隔に設けられている。なお、各脚取付け孔４の配置は、蓋板２の周方向に正確に等間隔でなくてもよく、これに近似した間隔で設けることも可能である。以上の配置により、脚５を、局所領域にまとめて配置するのではなく、蓋板２の周方向に略均等（均等を含む）に分配して配置できる。
【００１９】
脚５の使用個数は、３本以上でもよいが、３本の方が最小本数で済む点で好ましい。これらの脚５は、例えば蓋板２と同種の金属製であり、好ましくは丸棒で作られている。これらの脚５は、蓋板２の裏面から突出してこの蓋板２の脚取付け孔４に個別に固定されている。そのため、３本の脚５は蓋板２の周方向に沿って等間隔に配設されている。各脚５の長さは略同じで、例えば（20±3）ｍｍに設定されている。脚５の長さを17ｍｍ未満とすることは、蓋１の使用状態で、この蓋１が斜め上向きに動かされた場合に、脚５が丸孔Ｂから外れる恐れが高まる点で好ましくない。又、脚５の長さを23ｍｍを超える長さとすることは、丸孔Ｂからこれを覆っている蓋１を外す際に、蓋１をより高く持ち上げる必要が生じて使用上の不便さが増すとともに、例えば同じ向きに重ねて格納する場合等に、格納スペースをより多く必要とする点で好ましくない。これらの脚５は、丸孔Ｂに挿入された場合に、丸孔Ｂの開口部内面に接近して、最大５ｍｍの範囲で蓋１の水平方向へのずれを許し、それ以上のずれを阻止するようになっている。
【００２０】
各脚５は蓋板２に次のように固定されている。すなわち、図４で代表して示すように脚５は、互いに一体の脚主部６と、首部７と、かしめ端部８とからなる。脚主部６及びかしめ端部８は、脚取付け孔４より大径であり、脚主部６の先端部には面取りが施されている。脚主部６は蓋板２の裏面に当接して設けられ、脚主部６より小径な首部７は脚取付け孔４に挿入されている。かしめ端部８は、蓋板２の表面側からかしめられて脚主部６との間に脚取付け孔４の縁部を挟着して設けられている。したがって、かしめ端部８は、所定形状に成形される前の状態では図４中二点鎖線で示すように棒状をなして蓋板２の上方に突出されていて、これをかしめ潰して塑性変形させることにより形成されたものである。
【００２１】
なお、蓋板２への脚５の固定は、ボルトなどの固定部品を要することがない固定手段であれば、以上のかしめ止めに制約されず、例えば溶接止めや接着剤を用いることもでき、或いは、かしめ止めに更に溶接止めや接着止めを付加することも可能である。又、以上の構成の蓋１の全面には図示しないが防錆などのための保護層が設けられている。
【００２２】
前記構成の蓋１は、図５に示されるように床Ａの丸孔Ｂにその上方から被せて、丸孔Ｂの上面開口を覆って使用される。この場合、蓋板２の中央に形成された指掛け孔３に指を通して蓋１を持って、この蓋１の各脚５を丸孔Ｂの上端開口部に挿入させることにより、蓋板２で丸孔Ｂを塞ぐことができる。
【００２３】
こうした使用により、建築に従事する作業者の足が丸孔Ｂに落ち込むことを防止して人に対する安全と保護を確保できるとともに、建築部品や工具等が丸孔Ｂに落ち込むことも防止できる。この使用において、蓋板２が円形であることに基づき、この蓋板２の周部が丸孔Ｂからこの丸孔Ｂの周囲に張り出す突出量を、蓋板が四角であるものに比較して小さくできる。このため、図５に例示したように丸孔Ｂが密集して設けられている場合にも、隣接した丸孔Ｂを覆った蓋１相互が干渉し難くなるので、密集した丸孔Ｂの夫々に蓋１を支障なく被せて使用できる。
【００２４】
使用状態の蓋１には、これをずらす外力が加えられることがある。この場合、３本の脚５の内の少なくとも２本が丸孔Ｂの上端開口部の内面に当たって、それ以上、蓋１が動くことを防止するので、蓋板２は、丸孔Ｂから外れることがなく丸孔Ｂを塞いだ状態を確保できる。
【００２５】
しかも、この場合に、既述のように３本の脚５の内の少なくとも２本の脚で外力を受けるので、一本の脚５にのみ外力が集中することがなくなり、各脚５の変形や折損を抑制できる。特に、蓋板２の裏面に当接した脚主部６と蓋板２の表面に当接したかしめ端部８とで、首部７が通った脚取付け孔４の縁部を挟着して、脚５を蓋板２の裏面に突設したので、脚５が蓋板２に対して緩むことなく確実に固定されるとともに、ずれ止めの際等に脚５が力によって変形することも確実に防止される。したがって、耐久性に優れ、丸孔Ｂを覆った状態での蓋１のずれ止め性能を長期にわたり維持できる。しかも、既述のように蓋板２にかしめ止めされた各脚５は、脚をボルト止めした場合のように緩んで不用意に動くこともないので、この点においても耐久性に優れている。
【００２６】
蓋１はその使用後に回収されて保管されるが、その回収の際には、蓋板２の中央部に形成した指掛け孔３に通した指を蓋板２の裏面に掛けて、蓋１を上方に引き外せばよい。
【００２７】
以上のように蓋１を丸孔Ｂに着脱するための構成である指掛け孔３は蓋板２の表面に突出しないから、人の足が引っ掛かり難くなり、それに伴い蓋１をずらす外力を蓋１が受ける可能性が減らされる。その点も蓋１の耐久性向上に貢献している。又、蓋１を床Ａ上に置いた場合に、転ぶことなく３本の脚５により安定した状態に載置されるので、丸孔Ｂへの取付けに先立って指掛け孔３に指を通し易く、或いは回収するのに蓋１を掴み易く、したがって、取扱いが容易である。
【００２８】
回収された蓋１は、同じ向きに積み重ねて保管され、或いは、脚５が間隔的に設けられていることを利用して積み重ね高さを低くするため、一対の蓋１をその脚５が互いに入り組むように組み合わせ、こうした一組の蓋を所定数積み重ねて保管される。これらの保管において、図示しない支持棒を積み重ねられた蓋１の指掛け孔３に通すことにより、崩れないように保管できる。更に、運搬において前記支持棒ごと、この棒に支持された多数の蓋１を一度に運ぶことができる。このように蓋板２に指掛け孔３を設けたことは幾多の点で好ましいものである。
【００２９】
又、以上のように蓋１が有した３本の脚５は、蓋１を安定して載置させることと、丸孔Ｂに対する蓋１のずれ止めを兼ねるので、ずれ止めのための専用部品を省略できる。これとともに、蓋板２の中央部の指掛け孔３を開口したので、丸孔Ｂに対する蓋１の着脱や運搬のための専用の手掛け部品を省略できる。このため、蓋１は、中央部の指掛け孔３が開口された蓋板２と、３本の脚５とから形成できる。すなわち、蓋１は、部品点数が少なく、構造が単純であり、したがって、低コストで提供できる。しかも、既述のように蓋１の着脱や運搬のための専用の手掛け部品を備えないにも拘らず、指掛け孔３に指を通して蓋１を丸孔Ｂに対して容易に着脱できる。
【図面の簡単な説明】
【００３０】
【図１】本発明の一実施形態に係る床貫通丸孔用蓋を表側から見て示す斜視図。
【図２】図１の蓋を示す正面図。
【図３】図１の蓋を裏側から見て示す斜視図。
【図４】図１中Ｆ４−Ｆ４線に沿って示す蓋の断面図。
【図５】図１の蓋の使用状況を示す図。
【符号の説明】
【００３１】
Ａ…床
Ｂ…床面貫通丸孔
１…床面貫通丸孔用蓋
２…蓋板
３…指掛け孔
４…脚取付け孔
５…脚
６…脚主部
７…首部
８…かしめ端部
【図１】
2007277943.tif 000003
【図２】
2007277943.tif 000004
【図３】
2007277943.tif 000005
【図４】
2007277943.tif 000006
【図５】
2007277943.tif 000007